(57)【特許請求の範囲】
【請求項１】
横方向と、該横方向よりも長さの長い縦方向と、厚み方向とを有する長尺状基体部、及び該長尺状基体部の非肌対向面の表面に固定された吸水性ポリマーの粒子を備えた吸収性ユニットを複数本具備し、各該吸収性ユニットを、その縦方向が一方向を向くように配列させてなる吸収性物品用のシート状物であって、
前記長尺状基体部は、非肌対向面の親水度が、肌対向面の親水度よりも高いシート状物。
【請求項２】
前記吸水性ポリマーの粒子が液を吸収した膨潤後の状態において、該吸水性ポリマーの粒子が、前記長尺状基体部の前記縦方向に沿う側縁部を越えて膨潤し、且つ該長尺状基体部における前記吸水性ポリマーの粒子の位置が、前記厚み方向において、液を吸収する前の位置と異なるようになされている請求項１に記載のシート状物。
【請求項３】
前記吸水性ポリマーの粒子が液を吸収する前の使用前の状態において、前記吸水性ポリマーの粒子が、前記長尺状基体部の側縁部を越えてはみ出している請求項１又は２に記載のシート状物。
【請求項４】
前記吸水性ポリマーの粒子が液を吸収する前の使用前の状態において、隣り合う前記長尺状基体部どうしは、少なくとも一部隣接している請求項１〜３の何れか１項に記載のシート状物。
【請求項５】
前記シート状物は、前記縦方向の両端部に、複数の前記長尺状基体部が前記横方向に繋がった非スリット領域を備えており、
前記非スリット領域には、前記吸水性ポリマーの粒子が配されておらず、
前記シート状物は、前記縦方向の両端部が、前記吸収性物品に固定されている請求項１〜４の何れか１項に記載のシート状物。
【請求項６】
前記長尺状基体部は、前記縦方向に沿う両側縁部間の距離が、前記吸水性ポリマーの粒子が液を吸収する前の状態の平均粒子径よりも大きく、前記吸水性ポリマーの粒子が液を吸収して膨潤した状態の平均粒子径よりも小さい請求項１〜５の何れか１項に記載のシート状物。
【請求項７】
前記シート状物を平面視して、前記吸水性ポリマーの粒子が偏在して固定されており、固定された該吸水性ポリマーの粒子の坪量が相対的に多い部分において、前記長尺状基体部の縦方向に沿う両側縁部間の距離が相対的に短い請求項１〜６の何れか１項に記載のシート状物。
【請求項８】
前記吸水性ポリマーの粒子が液を吸収する前に、前記吸水性ポリマーの粒子は、前記長尺状基体部の非肌対向面の表面にのみ固定されている請求項１〜７の何れか１項に記載のシート状物。
【請求項９】
前記長尺状基体部は、不織布である請求項１〜８の何れか１項に記載のシート状物。
【請求項１０】
請求項１〜９の何れか１項に記載のシート状物と、該シート状物を被覆する液透過性のコアラップシートとを有する吸収性物品用の吸収体。
【請求項１１】
請求項１０に記載の吸収体と、該吸収体の肌対向面側に配された表面シートと、該吸収体の非肌対向面側に配された裏面シートとを有する吸収性物品。
【発明の詳細な説明】
【技術分野】
【０００１】
本発明は、吸収性物品に用いるシート状物に関する。
【背景技術】
【０００２】
一般的に、使い捨ておむつ、生理用ナプキン、失禁パッド等の吸収性物品に用いられる吸収体は、空気流に乗せてパルプ繊維及び吸水性ポリマーを含む吸収体の原料を、回転ドラムの外周面に形成された凹部に吸引して堆積させ、次いで、該凹部内に堆積した積繊体を透水性のシート材で被覆して製造されている。しかし、吸水性ポリマーの重量は、パルプ繊維の重量に比べて非常に重く、吸水性ポリマーの分散が不均一なものとなり易い。このように不均一な吸収体では、ゲルブロッキング等の膨潤阻害が発生し易く吸水性ポリマーの吸収性能を最大限に発揮することができない。
【０００３】
上記技術とは別の技術として、本出願人は、先に、吸収性シートの積層体から形成された吸収体を備える吸収性物品であって、該吸収体が、縦方向に沿う縦スリットを排泄部対向部に分散状態に配されて形成されている吸収性物品に関する技術を提案した（特許文献１）。      
【０００４】
また、上記技術とは別の技術として、特許文献２には、透液性表面シートと吸収体との間に親水性繊維シートが配置された吸収性物品であって、該透液性表面シートは、界面活性剤を塗布することによって、吸収体側の面の親水度を表面シート側の面の親水度よりも高くした吸収性物品が記載されている。
【先行技術文献】
【特許文献】
【０００５】
【特許文献１】特開２０１５−４２２４４号公報
【特許文献２】特開２００５−８７６５９号公報
【発明の概要】
【発明が解決しようとする課題】
【０００６】
特許文献１に記載の吸収性物品は、縦スリットが分散状態に配された吸収体を備えているので、体液を素早く吸収体内に吸収することができる。しかし、例えば、着用者が立ち座り等の動作をすることで、体液を吸収した吸収体に圧力が掛かると、吸収した体液が液戻りしてしまう可能性が考えられ、本発明者は、このような液戻りを更に防止したいとのニーズがあることを見出した。
【０００７】
また、特許文献２に記載の吸収性物品は、透液性表面シートと吸収体との間の親水性繊維シートの親水度が、表面シート側の面よりも吸収体側の面の方が高いので、体液を吸収体に移行することができる。しかし、体液を吸収した吸収体に圧力が掛かると、吸収した体液が吸収体上に配された親水性繊維シートの親水度の高い吸収体側の面に移り易く、やはり、体液が表面シートから液戻りしてしまう。また、特許文献２には、吸収体にスリットを設けることに関して何ら記載されておらず、吸収体に親水度の違いを設けることに関しても何ら記載されていない。
【０００８】
したがって本発明は、前述した従来技術が有する欠点を解消し得るシート状物を提供することにある。
【課題を解決するための手段】
【０００９】
本発明は、横方向と、該横方向よりも長さの長い縦方向と、厚み方向とを有する長尺状基体部、及び該長尺状基体部の非肌対向面の表面に固定された吸水性ポリマーの粒子を備えた吸収性ユニットを複数本具備し、各該吸収性ユニットを、その縦方向が一方向を向くように配列させてなる吸収性物品用のシート状物であって、前記長尺状基体部は、非肌対向面の親水度が、肌対向面の親水度よりも高いシート状物を提供するものである。
【発明の効果】
【００１０】
本発明によれば、素早く体液を吸収できると共に、膨潤阻害を発生し難く、吸水性ポリマーの吸収性能を最大限に発揮することができるシート状物が提供される。また、本発明によれば、体液を吸収した吸収体に圧力が掛かったとしても、吸収した体液が液戻りし難いシート状物が提供される。
【図面の簡単な説明】
【００１１】
【図１】図１は、本発明の吸収性物品用のシート状物の一実施形態を模式的に示す断面図であり、吸水性ポリマーの粒子が液を吸収する前の状態を示している。
【図２】図２は、図１に示すシート状物における、吸水性ポリマーの粒子が液を吸収して膨潤した状態を模式的に示す断面図である。
【図３】図３は、図１に示すシート状物を上面側から視た斜視図である。
【図４】図４は、図１に示すシート状物の製造装置の一実施形態を示す概略図である。
【図５】図５は、図４に示す製造装置の備える基材シートカット部の概略斜視図である。
【図６】図６は、本発明のシート状物の更に別の実施形態を上面側から視た斜視図であり、吸水性ポリマーの粒子が液を吸収する前の状態を示している（図３相当図）。
【発明を実施するための形態】
【００１２】
以下本発明を、その好ましい実施形態に基づき図面を参照しながら説明する。
本発明のシート状物は、吸収性物品に用いられるものである。吸収性物品は、一般的に、尿や経血等の排泄体液を吸収保持するために用いられるものである。吸収性物品には、例えば、使い捨ておむつ、生理用ナプキン、失禁パッド等が包含されるが、これらに限定されるものではなく、人体から排出される液の吸収に用いられる物品を広く包含するものである。
【００１３】
前記吸収性物品は、典型的には、液保持性の吸収体と、該吸収体の肌対向面側に配された表面シートと、該吸収体の非肌対向面側に配された裏面シートとを有している。そして、該吸収体は、本発明のシート状物と、該シート状物を被覆する液透過性のコアラップシートとを有している。即ち、本発明のシート状物は、例えば、液透過性のコアラップシートで被覆された吸収体として、吸収性物品に用いられる。尚、吸収性物品には、吸収体の肌対向面及び非肌対向面の少なくとも一方に所謂サブレイヤーシートが配されていてもよい。
【００１４】
表面シート、裏面シート及びコアラップシートとしては、当該技術分野において通常用いられている材料を特に制限無く用いることができる。例えば、表面シートとしては、親水化処理が施された各種不織布や開孔フィルム等の液透過性のシートを用いることができる。また、裏面シートとしては、熱可塑性樹脂のフィルムや、該フィルムと不織布とのラミネート等の液透過性ないし撥水性のシートを用いることができる。裏面シートは水蒸気透過性を有していてもよい。また、コアラップシートとしては、湿式抄造法により製造した薄葉紙（ティッシュペーパー）や液透過性の不織布等を用いることができる。また、前記吸収性物品は、更に、該吸収性物品の具体的な用途に応じた各種部材を具備していてもよい。そのような部材は当業者に公知である。例えば吸収性物品を使い捨ておむつや生理用ナプキンに適用する場合には、表面シート上の左右両側部に一対又は二対以上の防漏カフを配置することができる。
【００１５】
図１及び図２には、本発明のシート状物の好ましい一実施形態であるシート状物１（以下、単に「シート状物１」ともいう。）を模式的に示す断面図が示されている。図１に示すシート状物１は、吸水性ポリマーの粒子が液を吸収する前の状態（以下、単に「使用前の状態」ともいう。）を示す。また、図２に示すシート状物１は、吸水性ポリマーの粒子が液を吸収して膨潤した状態（以下、単に「膨潤後の状態」ともいう。）を示す。ここで、膨潤後の状態とは、２５℃に調温した生理食塩水（０．９質量％塩化ナトリウム水溶液）中に６０分間シート状物１を浸漬した後の吸水性ポリマー粒子の状態を意味する。また、図３には、使用前の状態のシート状物１の斜視図が示されている。
【００１６】
図１に示すシート状物１は、横方向（Ｘ方向）と、該横方向(Ｘ方向)よりも長さの長い縦方向（Ｙ方向）と、厚み方向（Ｚ方向）とを有する長尺状基体部２、及び長尺状基体部２の非肌対向面の表面に固定された吸水性ポリマーの粒子３（以下、単に「吸水性ポリマー３」ともいう。）を備えた吸収性ユニット４を複数本具備し、各吸収性ユニット４を、その縦方向（Ｙ方向）が少なくとも一方向を向くように配列させて形成されている。ここで、長尺状基体部２の横方向（Ｘ方向）、縦方向（Ｙ方向）及び、厚み方向（Ｚ方向）は、吸収性ユニット４の横方向（Ｘ方向）、縦方向（Ｙ方向）及び、厚み方向（Ｚ方向）と一致しており、本実施形態では、シート状物１の横方向（Ｘ方向）、縦方向（Ｙ方向）及び、厚み方向（Ｚ方向）とも一致している（図３参照）。尚、シート状物１の縦方向（Ｙ方向）は、シート状物１を備えた吸収性物品を着用したときの着用者の前後方向と一致している。
【００１７】
図１に示すシート状物１は、吸収性ユニット４の縦方向（Ｙ方向）がシート状物１の縦方向（Ｙ方向）を向くように吸収性ユニット４を複数本配列させて形成されている（図３参照）。長尺状基体部２（吸収性ユニット４）の横方向（Ｘ方向）において隣り合う吸収性ユニット４，４間においては、吸収性ユニット４の移動のし易さの観点から、介在物が非存在状態となっている。即ち、吸収性ユニット４は介在物で包まれていない状態となっている。図１及び図２においては、長尺状基体部２の上面が着用者の肌に対向する肌対向面であり、長尺状基体部２の下面が裏面シートに対向する非肌対向面である。
【００１８】
吸収体１の吸収性ユニット４は、使用前の状態において、縦方向Ｙに長い矩形状に形成されている。吸収性ユニット４は、横方向Ｘの長さＬｘが、好ましくは０．５ｍｍ以上１０ｍｍ以下、更に好ましくは１ｍｍ以上５ｍｍ以下である。吸収性ユニット４の縦方向Ｙの長さＬｙは、横方向Ｘの長さＬｘに対して好ましくは２０倍以上２００倍以下、更に好ましくは４０倍以上８０倍以下になっている。この倍率を満たすことを条件として、吸収性ユニット４の縦方向Ｙの長さＬｙは、好ましくは１０ｍｍ以上５００ｍｍ以下、更に好ましくは２００ｍｍ以上４００ｍｍ以下になっている。このように吸収性ユニット４は、細長い形状をしている。
本実施形態では長尺状基体部の側縁部に吸収性ポリマーが固定されているので、長尺状基体部幅Ｗ２に対しての吸収性ユニット４の横方向Ｘの長さＬｘの大小関係は、好ましくは０μｍ＜（Ｌｘ−Ｗ２）＜１４００μｍであり、更に好ましくは２００μｍ＜（Ｌｘ−Ｗ２）＜１０００μｍである。
【００１９】
シート状物１は、本実施形態においては、使用前の状態において、縦方向（Ｙ方向）に長い矩形状に形成されている。シート状物１は、縦方向（Ｙ方向）の長さが好ましくは１００ｍｍ以上１０００ｍｍ以下であり、横方向（Ｘ方向）の長さが好ましくは５０ｍｍ以上３００ｍｍ以下である。また、シート状物１は、使用前の状態において、吸水性ポリマー３が、長尺状基体部２の非肌対向面の表面にのみ固定されている。
【００２０】
シート状物１は、使用前の状態において、少なくとも一方向を向くように吸収性ユニット４を複数本配列した吸収領域ＡＴを有している。使用前の状態のシート状物１を平面視して、シート状物１全体に対する吸収領域ＡＴの割合は、吸水性ポリマーの粒子３の固定された領域で液を吸収し易い観点から、２０％以上であることが好ましく、５０％以上であることが更に好ましく、そして、１００％以下であることが好ましく、９０％以下であることが更に好ましく、具体的には、２０％以上１００％以下であることが好ましく、５０％以上９０％以下であることが更に好ましい。ここで、吸収領域ＡＴの割合が１００％であるとは、例えば、吸収性ユニット４の縦方向（Ｙ方向）がシート状物１の縦方向（Ｙ方向）を向くように複数本シート状物１の横方向（Ｘ方向）に並置させる場合には、シート状物１の縦方向（Ｙ方向）の両端部間に亘る全域に吸収性ユニット４が配されている形態を意味し、或いは、吸収性ユニット４の縦方向（Ｙ方向）がシート状物１の横方向（Ｘ方向）を向くように複数本シート状物１の縦方向（Ｙ方向）に並置させる場合には、シート状物１の縦方向（Ｙ方向）に沿う両側部間に亘る全域に吸収性ユニット４が配されている形態を意味する。尚、シート状物１を平面視して、吸収領域ＡＴ以外の領域が、後述する非スリット領域ＮＴとなる。
【００２１】
吸収性ユニット４の縦方向（Ｙ方向）をシート状物１の縦方向（Ｙ方向）を向くように配する場合、吸収性ユニット４は、シート状物１枚当たり、３本以上配されていることが好ましく、５０本以上配されていることが更に好ましく、そして、１０００本以下配されていることが好ましく、５００本以下配されていることが更に好ましく、具体的には、３本以上１０００本以下配されていることが好ましく、５０本以上５００本以下配されていることが更に好ましい。また、吸収性ユニット４の縦方向（Ｙ方向）をシート状物１の横方向（Ｘ方向）を向くように配する場合、吸収性ユニット４は、シート状物１枚当たり、３本以上配されていることが好ましく、５０本以上配されていることが更に好ましく、そして、３５００本以下配されていることが好ましく、２０００本以下配されていることが更に好ましく、具体的には、３本以上３５００本以下配されていることが好ましく、５０本以上２０００本以下配されていることが更に好ましい。
【００２２】
使用前の状態のシート状物１は、製造時の搬送のし易さの観点から、吸収性ユニット４の縦方向（Ｙ方向）をシート状物１の縦方向（Ｙ方向）に向くように複数本配している形態であることが好ましく、複数本の吸収性ユニット４が互いに交差しないように、各吸収性ユニット４が縦方向（Ｙ方向）に平行にシート状物１の縦方向（Ｙ方向）に配されていることが更に好ましい。図１に示すシート状物１においては、均一な幅の長尺状基体部２を有する吸収性ユニット４を複数本用い、吸収性ユニット４の縦方向（Ｙ方向）をシート状物１の縦方向（Ｙ方向）に向くようにシート状物１の縦方向（Ｙ方向）に平行に配して形成されている。
【００２３】
シート状物１は、縦方向（Ｙ方向）の両端部、又は縦方向（Ｙ方向）に沿う両側部に、複数の長尺状基体部２が幅方向（Ｘ方向）に繋がった非スリット領域ＮＴを備えていることが好ましく、本実施形態のシート状物１においては、図３に示すように、縦方向（Ｙ方向）の両端部に非スリット領域ＮＴを備えている。すなわち、本実施形態のシート状物１においては、１枚の基材シートを具備しており、該基材シートの縦方向（Ｙ方向）の両端部に非スリット領域ＮＴが設けられ、該非スリット領域ＮＴの間に後述するカット工程によって形成された複数の長尺状基体部２が設けられている。このような非スリット領域ＮＴを設けると、使用前の状態において、シート状物１のシート形状が維持され易く、構造が乱れ難くなると共に、製造時に搬送し易いとの効果を奏する。非スリット領域ＮＴには、吸水性ポリマー３が配されていないことが好ましい。このように非スリット領域ＮＴに吸水性ポリマー３を配していなければ、液を吸収したとしても、非スリット領域ＮＴにて吸水性ポリマー３が膨潤し難く、膨潤後の状態においても、シート状物１のシート形状が維持され易く、構造が乱れ難くなると共に、吸水性ポリマー３の固定された領域では液を吸収し易く、シート状物１全体でバランスを取り易いとの効果を奏する。また、図３に示すシート状物１のように縦方向（Ｙ方向）の両端部に非スリット領域ＮＴを備えている場合に、吸収性物品に用いる際には、シート状物１のシート形状が維持され易く、構造が乱れ難くなると共に、吸収領域ＡＴの柔らかさが向上し着用者へ違和感を与え難い観点から、該縦方向（Ｙ方向）の両端部が吸収性物品に固定されていることが好ましい。
【００２４】
図１に示すシート状物１において、シート状物１の幅（Ｗ１）に対する長尺状基体部２の幅（Ｗ２）（横方向（Ｘ方向）の長さ）の割合（Ｗ２／Ｗ１）は、吸水性ポリマー３の長尺状基体部２への担持量、膨潤阻害、柔軟性、通気性、シート形状の維持等の観点から、０．００１以上であることが好ましく、０．００２以上であることが更に好ましく、そして、０．２００以下であることが好ましく、０．０４０以下であることが更に好ましく、具体的には、０．００１以上０．２００以下であることが好ましく、０．００２以上０．０４０以下であることが更に好ましい。
好適には、長尺状基体部２の幅（Ｗ２）は、同様の観点から、０．３ｍｍ以上であることが好ましく、０．６ｍｍ以上であることが更に好ましく、そして、１０．０ｍｍ以下であることが好ましく、２．０ｍｍ以下であることがより好ましく、１．８ｍｍ以下であることが更に好ましく、具体的には、０．３ｍｍ以上１０．０ｍｍ以下であることが好ましく、０．６ｍｍ以上２．０ｍｍ以下であることがより好ましく、０．６ｍｍ以上１．８ｍｍ以下であることが更に好ましい。
長尺状基体部２の幅（Ｗ２）とは、縦方向Ｙに沿う長尺状基体部２の両側縁部間の距離のことである。シート状物１の幅（Ｗ１）とは、縦方向Ｙに沿うシート状物１の両側縁部間の距離のことである。
【００２５】
吸収性ユニット４を構成する長尺状基体部（基材シート）２は、吸収領域ＡＴで液が拡散し易く、吸水性ポリマー３の利用効率向上の観点から、親水性シートであることが好ましい。親水性シートとは、構成繊維１本の接触角が９０°未満、又は繊維材料でないシートの場合は、その表面の接触角が９０°未満で定義される。なお、測定方法は下記方法に則る。
また、吸収性ユニット４を構成する長尺状基体部２は、非肌対向面の親水度が、肌対向面の親水度よりも高いシートである。長尺状基体部２は、非肌対向面の親水度が肌対向面の親水度よりも高いシートであれば、紙、不織布、布、合成樹脂を発泡して形成された合成スポンジ等の何れでも良いが、それらの中でも、薄くても引っ張り強度が比較的高く、薄くて柔軟性が付与できる観点から、不織布であることが好ましい。該不織布の坪量は、５ｇ／ｍ２以上１００ｇ／ｍ２以下であることが好ましく、１０ｇ／ｍ２以上４０ｇ／ｍ２以下であることが更に好ましい。
【００２６】
非肌対向面の親水度が肌対向面の親水度よりも高い長尺状基体部２としては、例えば、非肌対向面を親水化剤で処理して製造された不織布を用いることができる。また、本来的に親水性を有する繊維、例えば天然系のコットンや半天然系のレーヨン繊維を非肌対向面側の層に用い、或いは、親水化剤を練り込んだ樹脂を非肌対向面側の層に用い、そして、肌対向面側に相対的に親水度の低い層を用いた２層以上の多層構造のウエブを用いて製造された不織布を用いることができる。また、本来的に親水性を有する繊維、例えば天然系のコットンや半天然系のレーヨン繊維を用いて製造された不織布を非肌対向面側に用い、或いは、親水化剤を練り込んだ樹脂を用いて製造された不織布を非肌対向面側に用い、そして、相対的に親水度の低い樹脂を用いて製造された不織布を肌対向面側に用いて、２枚以上を重ね合わせた後、一体化した多層構造の不織布を用いることができる。図１及び図２に示すシート状物１の長尺状基体部２としては、親水化剤を練り込んだ樹脂を用いた相対的に親水度の高い非肌対向面側の層２１と、相対的に親水度の低い肌対向面側の層２２とから形成された２層構造のウエブを用いて製造された不織布が用いられている。尚、親水化剤として用いる界面活性剤としては、各種公知の界面活性剤が典型的なものとして挙げられる。界面活性剤としては、アニオン性、カチオン性、両性イオン性及びノニオン性の界面活性剤等を用いることができる。
【００２７】
肌対向面及び非肌対向面の親水度の高低は、好ましくは構成繊維の親水度の高低であり、構成繊維に対するイオン交換水の接触角を指標として判断することができる。即ち、接触角は、構成繊維上の水滴と構成繊維表面との角度であり、その接触角が小さい方の親水度が高いと判断することができる。また、接触角の差が±３°以内の場合は、ほぼ同じ接触角であり、親水度がほぼ等しいと判断する。
【００２８】
（非肌対向面の親水度が肌対向面の親水度よりも高い）長尺状基体部２の肌対向面の親水度、即ち、肌対向面を形成する構成繊維に対するイオン交換水の接触角は、液を肌から遠い所で吸収させる観点から、８０°以上であることが好ましく、９０°以上であることが更に好ましく、そして、１８０°以下であることが好ましく、１２０°以下であることが更に好ましく、具体的に、８０°以上１８０°以下であることが好ましく、９０°以上１２０°以下であることが更に好ましい。長尺状基体部２の非肌対向面の親水度、即ち、非肌対向面を形成する構成繊維に対するイオン交換水の接触角は、液を肌から遠い所で吸収させる観点から、０°以上であることが好ましく、３０°以上であることが更に好ましく、そして、９０°以下であることが好ましく、７０°以下であることが更に好ましく、具体的に、０°以上９０°以下であることが好ましく、３０℃以上７０°以下であることが更に好ましい。
また、長尺状基体部２の肌対向面の接触角と、非肌対向面の接触角との差（前者−後者）は、４°より大きいことが好ましく、更に好ましくは５°以上、一層好ましくは７°以上大きく、また３０°以下であることが好ましく、更に好ましくは２５°以下、一層好ましくは２０°以下であることが好ましい。具体的に、４°以上３０°以下であることが好ましく、５°以上２５°以下であることが更に好ましく、７°以上２０°以下であることが一層好ましい。
【００２９】
＜長尺状基体部２の肌対向面或いは非肌対向面の親水度の測定方法＞
長尺状基体部２の肌対向面或いは非肌対向面の親水度は、長尺状基体部２の肌対向面或いは非肌対向面を形成する構成繊維に対する水の接触角を測定することによって得られる。長尺状基体部２（不織布）の肌対向面或いは非肌対向面を形成する構成繊維に対する水の接触角は次の方法で測定される。測定装置として、協和界面科学株式会社製の自動接触角計ＭＣＡ−Ｊを用いる。接触角測定には、蒸留水を用いる。インクジェット方式水滴吐出部（クラスターテクノロジー社製、吐出部孔径が２５μｍのパルスインジェクターＣＴＣ−２５）から吐出される液量を２０ピコリットルに設定して、水滴を、構成繊維の真上に滴下する。滴下の様子を水平に設置されたカメラに接続された高速度録画装置に録画する。録画装置は後に画像解析や画像解析をする観点から、高速度キャプチャー装置が組み込まれたパーソナルコンピュータが望ましい。本測定では、１７ｍｓｅｃ毎に、画像が録画される。録画された映像において、不織布の肌対向面或いは非肌対向面を形成する構成繊維に水滴が着滴した最初の画像を、付属ソフトＦＡＭＡＳ（ソフトのバージョンは２．６．２、解析手法は液滴法、解析方法はθ／２法、画像処理アルゴリズムは無反射、画像処理イメージモードはフレーム、スレッシホールドレベルは２００、曲率補正はしない、とする）にて画像解析を行い、水滴の空気に触れる面と構成繊維のなす角を算出し、接触角とする。
なお、測定用サンプル（不織布から取り出して得られる構成繊維）は、不織布の肌対向面或いは非肌対向面における構成繊維を最表層から繊維長１ｍｍで裁断し、該構成繊維を接触角計のサンプル台に載せて、水平に維持し、該構成繊維１本につき異なる２箇所の接触角を測定する。前述の各部位において、Ｎ＝５本の接触角を小数点以下１桁まで計測し、合計１０箇所の測定値を平均した値（小数点以下第２桁で四捨五入）を各々の接触角と定義する。
【００３０】
長尺状基体部２の非肌対向面の表面に固定される吸水性ポリマー３としては、当該吸収性物品の技術分野において従来用いられている各種のものを用いることができ、例えば、ポリアクリル酸ソーダ、（アクリル酸−ビニルアルコール）共重合体、ポリアクリル酸ソーダ架橋体、（デンプン−アクリル酸）グラフト重合体、（イソブチレン−無水マレイン酸）共重合体及びそのケン化物、ポリアクリル酸カリウム、並びにポリアクリル酸セシウム等が挙げられ、これらの１種を単独で又は２種以上を混合して用いることができる。吸水性ポリマー３としては、その形状の違いから、不定形タイプ、塊状タイプ、俵状タイプ、球粒凝集タイプ、球状タイプ等があるが、何れのタイプも用いることができ、シート状物１においては、球状タイプが用いられている。
【００３１】
吸水性ポリマーの粒子３を長尺状基体部２の表面に固定させる方法としては、接着剤を用いる方法、水素結合等を利用して化学的に担持させる方法、又は、長尺状基体部２が不織布或いは布である場合には、その構成繊維を起毛させ、起毛した構成繊維の間で固定させる方法等が挙げられ、図１及び図２に示すシート状物１においては、接着剤５が用いられている。即ち、シート状物１の吸水性ポリマーの粒子３は、接着剤５を介して長尺状基体部２の層２１の非肌対向面の表面に固定されている。このように接着剤５を介して吸水性ポリマーの粒子３が長尺状基体部２の表面に固定されていると、シート状物１の使用前の状態又は膨潤後の状態において、吸水性ポリマーの粒子３が脱落し難くなる。
【００３２】
接着剤５としては、例えば、ホットメルト型接着剤が好ましく用いられる。ホットメルト型接着剤としては、スチレン系、オレフィン系等が挙げられる。スチレン系ホットメルト接着剤としては、スチレン−ブタジエン−スチレン共重合体（ＳＢＳ）、スチレン−イソプレン−スチレン共重合体（ＳＩＳ）、ＳＢＳの水素添加物であるスチレン−エチレン−ブチレン−スチレン共重合体（ＳＥＢＳ）、及びこれらの２種以上をブレンドしたブレンド系ホットメルト型接着剤を使用することができる。これらの中でも、タック力と凝集力のバランスが取り易い観点から、特にＳＩＳとＳＢＳとのブレンド系ホットメルト型接着剤、又はＳＩＳとＳＥＢＳのブレンド系ホットメルト型接着剤が、好ましく用いられる。ホットメルト型接着剤の塗布量は、０．５ｇ／ｍ２以上１００ｇ／ｍ２以下であることが好ましく、５ｇ／ｍ２以上５０ｇ／ｍ２以下であることが更に好ましい。
【００３３】
図１に示すシート状物１に関し、使用前の状態において、横方向（Ｘ方向）に隣り合う吸収性ユニット４の長尺状基体部２，２どうしは、使用前のシート状物１のシート形状が維持され易く、構造が乱れ難くなり、吸水性ポリマー３を適切な位置に配することができる観点から、少なくとも一部隣接していることが好ましく、横方向（Ｘ方向）に隣り合う長尺状基体部２，２どうしは、全体に亘って隣接していることが更に好ましい。尚、図１に示すシート状物１においては、横方向（Ｘ方向）に隣り合う長尺状基体部２，２どうしは、全体に亘って隣接している。ここで、「隣接している」とは、隣り合う長尺状基体部２，２どうしが、隣り合って接して続いていることを意味する。
【００３４】
シート状物１は、図２に示すような膨潤後の状態において、吸水性ポリマーの粒子３が、長尺状基体部２の縦方向（Ｙ方向）に沿う側縁部２ｓを越えて膨潤するようになされている。ここで、吸水性ポリマーの粒子３が長尺状基体部２の側縁部２ｓを越えて膨潤するとは、言い換えれば、シート状物１の膨潤後の状態において、例えば図２に示す膨潤した吸水性ポリマーの粒子３ａのように、膨潤した吸水性ポリマーの粒子３が長尺状基体部２の側縁部２ｓに跨って存在することを意味する。尚、シート状物１の膨潤後の状態において、膨潤した吸水性ポリマーの粒子３が長尺状基体部２の側縁部２ｓに跨って存在するようになるのであれば、シート状物１の使用前の状態においては、吸水性ポリマーの粒子３が長尺状基体部２の側縁部２ｓよりも内側に存在していてもよく、或いは、例えば図１に示す使用前（膨潤前）の吸水性ポリマーの粒子３ｂのように、吸水性ポリマーの粒子３が当初から長尺状基体部２の側縁部２ｓに跨って存在していてもよい。
【００３５】
更に、シート状物１は、図２に示すような膨潤後の状態において、長尺状基体部２における吸水性ポリマーの粒子３の位置が、厚み方向（Ｚ方向）において、上下にずれる、斜めになる等、液を吸収する前の位置と異なるようになされている。ここで、シート状物１の膨潤後の状態において、長尺状基体部２の位置が、厚み方向（Ｚ方向）において、液を吸収する前の位置と異なるとは、吸水性ポリマーの粒子３の膨潤後の状態における長尺状基体部２の位置と、吸水性ポリマーの粒子３の使用前（膨潤前）の状態における長尺状基体部２の位置とが異なるように形成されていることを意味する。
【００３６】
以上説明した本実施形態のシート状物１に関し、該シート状物１を液透過性のコアラップシートで被覆して吸収体とし、該吸収体の肌対向面側に液透過性の表面シートを配し、該吸収体の非肌対向面側に液難透過性の裏面シートを配した吸収性物品によれば、吸水性ポリマー３を備えた複数本の吸収性ユニット４が少なくとも一方向を向くように配列しているので、隣り合う吸収性ユニット４，４どうしが緩衝し難く、素早く体液を吸収できると共に、膨潤阻害を発生し難く、吸水性ポリマーの吸収性能を最大限に発揮することができる。ここで、吸収性ユニット４を構成する長尺状基体部２は、非肌対向面の親水度が肌対向面の親水度よりも高く形成されているので、体液を非肌対向面側である裏面シート側に引き込むことができ、非肌対向面側で体液を拡散でき、吸収体を広く使うことができる。このように、吸収体の非肌対向面側に体液が保持されていると、着用者の肌から離れているので、肌に対する負荷を低減できる。特に、シート状物１においては、吸水性ポリマーの粒子３が長尺状基体部２の非肌対向面の表面にのみ固定されているので、肌に対する負荷を更に低減できる。
【００３７】
また、前記吸収性物品を着用中に、体液を吸収した吸収体に圧力が掛かったとしても、吸収性ユニット４を構成する長尺状基体部２は、非肌対向面の親水度が肌対向面の親水度よりも高く形成されているので、吸収した体液が肌対向面側に移行し難く、吸収した体液が液戻りし難い。特に、シート状物１においては、吸水性ポリマーの粒子３が長尺状基体部２の非肌対向面の表面にのみ固定されているので、吸収した体液が肌対向面側に更に移行し難く、吸収した体液が更に液戻りし難い。
【００３８】
また、シート状物１は、図２に示すように、膨潤後の状態において、吸水性ポリマーの粒子３が長尺状基体部２の側縁部２ｓを越えて膨潤し（図２に示す吸水性ポリマーの粒子３ａ参照）、且つ、長尺状基体部２における吸水性ポリマーの粒子３の位置が、厚み方向（Ｚ方向）において、液を吸収する前の位置と異なるようになされている。その為、シート状物１を吸収性物品に用いて使用すると、図２に示すように、体液を吸水性ポリマーの粒子３が吸収して膨潤している際に、隣り合う吸収性ユニット４，４どうしにおいて、長尺状基体部２の側縁部２ｓを越えて膨潤した吸水性ポリマーの粒子３，３どうしが接触したとしても、隣り合う吸収性ユニット４，４どうしが厚み方向(Ｚ方向)に自由に動き易く、膨潤した吸水性ポリマーの粒子３，３どうしの衝突が緩和され、膨潤した吸水性ポリマーの粒子３に掛かる圧力を低減でき、吸水性ポリマーの粒子３の体液の吸収を阻害し難い。従って、本実施形態のシート状物１は、体液を吸水性ポリマーの粒子３が吸収して膨潤している際に、吸水性ポリマーの粒子３が膨潤阻害を起こし難く、吸水性ポリマーの粒子３の吸収性能を最大限に発揮できるので、吸収性能が向上し易い。特に、本実施形態のシート状物１は、隣り合う吸収性ユニット４，４間においては介在物が非存在状態となっているので、吸収性ユニット４が移動し易く、上記効果を一層奏し易くなっている。
【００３９】
また、シート状物１は、図２に示すような膨潤後の状態において、隣り合う吸収性ユニット４を構成する長尺状基体部２，２どうしの位置が、厚み方向（Ｚ方向）において、異なるようになされている。その為、隣り合う吸収性ユニット４，４どうしが厚み方向(Ｚ方向)に自由に動き易く、膨潤した吸水性ポリマーの粒子３，３どうしの衝突が緩和され易く、膨潤した吸水性ポリマーの粒子３に掛かる圧力を低減でき、吸水性ポリマーの粒子３の体液の吸収を阻害し難い。
【００４０】
シート状物１において、膨潤後の状態の吸水性ポリマーの粒子３を長尺状基体部２の側縁部２ｓを越えて膨潤させて、隣り合う吸収性ユニット４，４どうしを厚み方向(Ｚ方向)に自由に動かし、吸水性ポリマーの粒子３の膨潤阻害を一層起こし難くする観点から、図１に示すような使用前の状態において、吸水性ポリマーの粒子３が、長尺状基体部２の縦方向（Ｙ方向）に沿う側縁部２ｓ近傍に配されていることが好ましく、吸水性ポリマーの粒子３が、長尺状基体部２の側縁部２ｓを越えてはみ出していることが更に好ましい（図１に示す吸水性ポリマーの粒子３ｂ参照）。
【００４１】
更に、シート状物１において、膨潤後の状態の吸水性ポリマーの粒子３を長尺状基体部２の側縁部２ｓを越えて膨潤させて、隣り合う吸収性ユニット４，４どうしを厚み方向(Ｚ方向)に自由に動かし、吸水性ポリマーの粒子３の膨潤阻害を一層起こし難くする観点から、長尺状基体部２の縦方向（Ｙ方向）に沿う両側縁部２ｓ，２ｓ間の距離が、使用前（膨潤前）の状態の吸水性ポリマーの粒子３の平均粒子径よりも大きく、膨潤後の状態の吸水性ポリマーの粒子３の平均粒子径よりも小さいことが好ましい。尚、長尺状基体部２の両側縁部２ｓ，２ｓ間の距離とは、上述した長尺状基体部２の幅（Ｗ２）と同じ意味である。使用前（膨潤前）の状態の吸水性ポリマーの粒子３の平均粒子径ｄ１は、２０μｍ以上であることが好ましく、２００μｍ以上であることが更に好ましく、そして、７００μｍ以下であることが好ましく、５００μｍ以下であることが更に好ましく、具体的には、２０μｍ以上７００μｍ以下であることが好ましく、２００μｍ以上５００μｍ以下であることが更に好ましい。一方、膨潤後の状態の吸水性ポリマーの粒子３の平均粒子径ｄ２は、２００μｍ以上であることが好ましく、８００μｍ以上であることが更に好ましく、そして、３０００μｍ以下であることが好ましく、２０００μｍ以下であることが更に好ましく、具体的には、２００μｍ以上３０００μｍ以下であることが好ましく、８００μｍ以上２０００μｍ以下であることが更に好ましい。吸水性ポリマー３の平均粒子径は、以下の測定方法により求められる。
【００４２】
＜使用前の状態の吸水性ポリマーの粒子の平均粒子径ｄ１の測定方法＞
使用前の状態における平均粒子径ｄ１は、使用前の吸水性ポリマーの粒子を用い、吸水性ポリマーの粒子の直径もしくは長軸を光学顕微鏡観察で測定した。ここで直径とは、吸水性ポリマーの粒子が球状の場合を指す。また、長軸とは、吸水性ポリマーの粒子がひし形、長方形、房状、フットボール型などの異型状の場合を指す。計５０個の吸水性ポリマーの粒子の直径もしくは長軸を測定し、その数平均粒子径を使用前の状態の吸水性ポリマーの粒子の平均粒子径ｄ１とする。
【００４３】
＜膨潤後の状態の吸水性ポリマーの粒子の平均粒子径ｄ２の測定方法＞
膨潤後の状態における平均粒子径ｄ２は、シート状物１を２５℃に調温した生理食塩水（０．９質量％塩化ナトリウム水溶液）中に浸漬させ、浸漬開始から１時間後にシート状物１を生理食塩水から取り出し、３０分間垂直状態に吊るして水切りした後、長尺状基材部２の表面の吸水性ポリマーの粒子の直径もしくは長軸を光学顕微鏡観察で測定した。ここで言う直径とは、吸水性ポリマーの粒子が球状の場合を指す。また、長軸とは、吸水性ポリマーの粒子がひし形、長方形、房状、フットボール型などの異型状の場合を指す。計５０個の吸水性ポリマーの粒子の直径もしくは長軸を測定し、その数平均粒子径を膨潤後の状態の吸水性ポリマーの粒子の平均粒子径として測定できる。
【００４４】
次に、本発明のシート状物の製造方法の好ましい一実施態様を、上記構成のシート状物１を製造する場合を例にして、図４を参照して説明する。図４には、本実施態様の製造方法に好ましく用いられる製造装置１００が示されている。本実施形態の製造装置１００は、製造工程の上流側から下流側に向けて、基材シートカット部１１０、接着剤塗布部１２０及び吸水性ポリマー散布部１３０を、この順で備えている。尚、図４に示す製造装置１００においては、接着剤塗布部１２０及び吸水性ポリマー散布部１３０が一体化した装置を用いているが、接着剤塗布部１２０及び吸水性ポリマー散布部１３０が一体化していなくてもよい。前記一体化した装置は、該装置における上流側に接着剤塗布部１２０が配され、該一体化した装置における下流側に吸水性ポリマー散布部１３０が配された構成となっている。
【００４５】
基材シートカット部１１０は、長尺状基体部２の原料である帯状の基材シート２０をカットして複数本の長尺状基体部２を形成する部分である。基材シート２０のカットには、各種公知のカット装置を特に制限なく用いることができるが、製造装置１００においては、図５に示すように、周面に複数のカッター刃１１１ａ，１１１ａ，１１１ａ・・・が配されたロータリーダイ１１１ｂと、ロータリーダイ１１１ｂに対向配置された、周面が平坦な受けロール１１２とを備えたカット装置１１３を用いている。カット装置１１３の各カッター刃１１１ａは、ロータリーダイ１１１ｂの回転方向に配されており、複数のカッター刃１１１ａ，１１１ａ，１１１ａ・・・は、それぞれ、帯状の基材シート２０の搬送方向（Ｙ１方向）に直交する方向（Ｘ１方向）に並んで配置されている。直交する方向（Ｘ１方向）に隣り合うカッター刃１１１ａ，１１１ａどうしの間隔は、形成される各長尺状基体部２の幅（横方向（Ｘ方向）の長さ）に対応している。ここで、基材シート２０の搬送方向（Ｙ１方向）は、製造されるシート状物１の縦方向（Ｙ方向）に対応しており、直交する方向（Ｘ１方向）は、製造されるシート状物１の横方向（Ｘ方向）に対応している。尚、基材シート２０のカットには、上刃と下刃の側面を擦り合わせて切断するシェアカット方式のカット装置を用いてもよく、複数のスコアカットナイフを直交する方向（Ｘ１方向）に並置した装置でもよく、レーザー光を照射して溶断するレーザー装置を用いてもよい。
【００４６】
図３に示すシート状物１のように、シート状物１が、縦方向（Ｙ方向）の両端部に非スリット領域ＮＴを備えている場合には、例えば、図５に示すように、各カッター刃１１１ａの周面に、凹部１１４を形成するようにすればよい。回転するカッター刃１１１ａの外周における凹部１１４部分の円弧の長さは、図３に示すシート状物１の両端部に配置される非スリット領域ＮＴの縦方向（Ｙ方向）の長さの合計と等しい長さに対応するようにする。このような凹部１１４を備える複数のカッター刃１１１ａ，１１１ａ，１１１ａ・・・を用意し、Ｘ１方向に隣り合うカッター刃１１１ａの凹部１１４，１１４どうしの位置を合わせて配置したロータリーダイ１１１ｂを用いればよい。尚、回転するカッター刃１１１ａの外周における凹部１１４を除く部分の円弧の長さが、図３に示すシート状物１の有する長尺状基体部２の縦方向（Ｙ方向）の長さに対応している。また、シート状物１が、縦方向（Ｙ方向）に沿う両側部に非スリット領域ＮＴを備えている場合には、該非スリット領域ＮＴに対応する位置にカッター刃１１１ａを配しないようにすればよい。
【００４７】
基材シートカット部１１０の下流側に位置する接着剤塗布部１２０は、長尺状基体部２の一方の面（上面）の表面に接着剤５を塗布する部分であり、製造装置１００においては、図４に示すように、塗布ヘッド１２１を備えている。塗布ヘッド１２１には、各種公知の塗布装置を特に制限なく用いることができる。塗布ヘッド１２１は、Ｘ１方向においては、シート状物１の吸収領域ＡＴの幅（横方向（Ｘ方向）の長さ）に対応する長さを有するように形成されている。このように形成された塗布ヘッド１２１が、長尺状基体部２の一方の面（上面）上に間隔を空けて配置されている。
【００４８】
接着剤塗布部１２０の下流側に位置する吸水性ポリマー散布部１３０は、長尺状基体部２の一方の面（上面）の表面に吸水性ポリマーの粒子３を散布して吸収性ユニット４を形成する部分であり、製造装置１００においては、図４に示すように、吸水性ポリマー導入部１３１を備えている。吸水性ポリマー導入部１３１には、各種公知の導入装置を特に制限なく用いることができる。吸水性ポリマー導入部１３１は、Ｘ１方向においては、シート状物１の吸収領域ＡＴの幅（横方向（Ｘ方向）の長さ）に対応する長さを有するように形成されている。このように形成された吸水性ポリマー導入部１３１が、長尺状基体部２の一方の面（上面）上に間隔を空けて配置されている。
【００４９】
また、図４に示す製造装置１００においては、接着剤塗布部１２０及び吸水性ポリマー散布部１３０が一体化した装置に対向する位置であって、搬送される複数本の長尺状基体部２の下面側にバキュームコンベア１４１が配されている。バキュームコンベア１４１は、駆動ロール１４２及び複数の従動ロール１４３に架け渡された無端状の通気性ベルト１４４と、通気性ベルト１４４を挟んで前記一体化した装置に対向する位置に配されたバキュームボックス１４５とを備えている。バキュームコンベア１４１上には、基材シートカット部１１０にて基材シート２０をカットして形成される複数本の長尺状基体部２が導入されるようになっている。
【００５０】
また、図４に示す製造装置１００においては、帯状の基材シート２０の原反ロールから基材シート２０を繰り出す駆動ロール１５１と、最も下流側に、製造されたシート状物１の前駆体１ｂを搬送する駆動ロール１５２とを備えている。
【００５１】
次に、前述した本実施形態の製造装置１００を用いてシート状物１を連続的に製造する方法、即ち、本発明のシート状物の製造方法の一実施態様について説明する。
本実施態様のシート状物１の製造方法は、帯状の基材シート２０をカットして複数本の長尺状基体部２を形成するカット工程、該カット工程の後工程に、吸水性ポリマーの粒子３を散布する吸水性ポリマーの粒子散布工程を備えている。また、本実施態様においては、吸水性ポリマーの粒子散布工程よりも前工程に、接着剤５を塗布する接着剤塗布工程を備えている。即ち、本実施態様のシート状物１の製造方法は、カット工程の後工程に接着剤塗布工程を備え、接着剤塗布工程の後工程に吸水性ポリマーの粒子散布工程を備えている。
【００５２】
前記カット工程の実施に先立ち、先ず、バキュームボックス１４５内を、それに接続された排気装置を作動させて負圧にする。
【００５３】
基材シート２０としては、相対的に親水度の高い非肌対向面側の層２１と、相対的に親水度の低い肌対向面側の層２２とから形成された２層構造のウエブを用いて製造された帯状の不織布が用いられている。そして、基材シート２０を、一方の面（上面）側に相対的に親水度の高い層２１が向くように配置する。
【００５４】
次いで、駆動ロール１５１及び駆動ロール１５２を駆動させ、カット装置１１３及び通気性ベルト１４４を回転させ、バキュームコンベア１４１を作動させる。そして、駆動ロール１５１により帯状の基材シート２０の原反ロールから基材シート２０を繰り出し、基材シートカット部１１０のカット装置１１３における複数のカッター刃１１１ａと受けロール１１２との間に供給し、帯状の基材シート２０をカットして複数本の長尺状基体部２を形成する（カット工程）。本実施態様においては、図５に示すように、ロータリーダイ１１１ｂの回転方向に配された複数のカッター刃１１１ａが、それぞれ、帯状の基材シート２０の搬送方向（Ｙ１方向）に直交する方向（Ｘ１方向）に一致して配置されているので、帯状の基材シート２０を、基材シート２０の搬送方向（Ｙ１方向）に沿ってカットし、且つ直交する方向（Ｘ１方向）に複数箇所カットして複数本の長尺状基体部２を形成する。また、カッター刃１１１ａでカットされた部分が長尺状基体部２の側縁部２ｓとなる。
【００５５】
また、本実施態様においては、複数のカッター刃１１１ａが、それぞれ、凹部１１４を有しているので、搬送される帯状の基材シート２０に、長尺状基体部２の縦方向（Ｙ方向）の長さ分を空けて、間欠的に、非スリット領域ＮＴの縦方向（Ｙ方向）の長さの２倍の長さ分に対応する非カット部ＮＴｂが形成される。カット工程にて形成された複数本の長尺状基体部２は、搬送方向（Ｙ１方向）に平行に形成されており、直交する方向（Ｘ１方向）に並置して配されている。
【００５６】
次いで、カット工程にて形成された長尺状基体部２の一方の面の表面に、接着剤５を塗布する（接着剤塗布工程）。本実施態様においては、カット工程にて形成された複数本の長尺状基体部２をバキュームコンベア１４１で搬送しながら、バキュームボックス１４５上に位置する間に、接着剤塗布部１２０の塗布ヘッド１２１により、直交する方向（Ｘ１方向）に並置して形成された複数本の長尺状基体部２の一方の面である親水度の高い層２１上に、非カット部ＮＴｂを除いて、間欠的に接着剤５を塗布する。
【００５７】
次いで、接着剤塗布工程にて形成された複数本の長尺状基体部２の一方の面の表面に塗布された接着剤５上に、吸水性ポリマーの粒子３を散布する（吸水性ポリマーの粒子散布工程）。本実施態様においては、接着剤塗布工程にて形成された、親水度の高い層２１の表面に接着剤５が塗布された長尺状基体部２をバキュームコンベア１４１で搬送しながら、バキュームボックス１４５上に位置する間に、吸水性ポリマー散布部１３０の吸水性ポリマー導入部１３１により、直交する方向（Ｘ１方向）に並置した複数本の長尺状基体部２の親水度の高い層２１の表面に塗布された接着剤５上に、非カット部ＮＴｂを除いて、吸水性ポリマーの粒子３を散布する。このように吸水性ポリマーの粒子３を散布することにより、接着剤５を介して吸水性ポリマーの粒子３が長尺状基体部２の表面に固定された吸収性ユニット４を複数本形成する。このように形成された複数本の吸収性ユニット４は、それぞれの縦方向（Ｙ方向）が、搬送方向（Ｙ１方向）を向くように配列しており、シート状物１の前駆体１ｂを形成するようになる。
【００５８】
次いで、シート状物１の前駆体１ｂを駆動ロール１５２により下流側に搬送し、公知の切断装置（不図示）を用いて、非カット部ＮＴｂの搬送方向（Ｙ１方向）の長さの二等分の位置毎に切断して、縦方向（Ｙ方向）の両端部に非スリット領域ＮＴを有するシート状物１を、連続して製造する。このように、本実施形態の製造装置１００及びそれを用いた本実施態様の製造方法によれば、シート状物１を安定的に効率良く製造することができる。このように製造されたシート状物１は、接着剤５の塗布された親水度の高い層２１の表面側を、非肌対向面側に向くように使用する。
【００５９】
また、本実施態様の製造方法によれば、複数のカッター刃１１１ａ，１１１ａ，１１１ａ・・・を用いて、均一な幅の長尺状基体部２を形成した後、長尺状基体部２の一方の面である親水度の高い層２１の表面に接着剤５を塗布しているので、製造されるシート状物１においては、横方向（Ｘ方向）に隣り合う吸収性ユニットの長尺状基体部２，２どうしが、全体に亘って隣接している形態となり易い。このようなシート状物１を安定的に効率良く製造することができる。
【００６０】
本発明は、前記実施形態に制限されず適宜変更可能である。
上述した図１に示すシート状物１においては、吸水性ポリマーの粒子３が、各長尺状基体部２の一方の面である親水度の高い層２１の表面にのみ固定されているが、シート状物１の液の吸収性能向上の観点から、各長尺状基体部２の一方の面である親水度の高い層２１の表面のみならず、他方の面である親水度の低い層２２の表面にも固定されていてもよい。各長尺状基体部２の両面（上下面）の表面に吸水性ポリマーの粒子３を固定させるには、例えば、図４に示す製造装置１００を用いて、各長尺状基体部２の一方の面の表面に吸水性ポリマーの粒子３を固定させた後、反転ロールを介して反転させ、その後別の吸水性ポリマー散布部１３０を用いて、各長尺状基体部２の他方の面の表面に吸水性ポリマーの粒子３を散布して固定させることにより製造できる。
【００６１】
各長尺状基体部２の両面（上下面）の表面に吸水性ポリマーの粒子３を固定する際には、上記効果を一層奏する観点から、長尺状基体部２の親水度の高い層２１の表面に固定された吸水性ポリマー３の坪量の方が、該長尺状基体部２の親水度の低い層２２の表面に固定された吸水性ポリマー３の坪量よりも大きいことが好ましい。長尺状基体部２の一方の面である親水度の高い層２１の表面に固定させる吸水性ポリマー３の坪量は、１０ｇ／ｍ２以上２５０ｇ／ｍ２以下であることが好ましく、３０ｇ／ｍ２以上１５０ｇ／ｍ２以下であることが更に好ましい。長尺状基体部２の他方の面である親水度の低い層２２の表面に固定させる吸水性ポリマー３の坪量は、３０ｇ／ｍ２以上４００ｇ／ｍ２以下であることが好ましく、５０ｇ／ｍ２以上３００ｇ／ｍ２以下であることが更に好ましい。
【００６２】
長尺状基体部２における肌対向面側に固定されている吸水性ポリマー３の坪量及び長尺状基体部２における非肌対向面側に固定されている吸水性ポリマー３の坪量は以下の方法によって測定する。
＜長尺状基体部２における肌対向面側に固定されている吸水性ポリマー３の坪量及び長尺状基体部２における非肌対向面側に固定されている吸水性ポリマー３の坪量の測定方法＞
長尺状基体部２における非肌対向面側の吸水性ポリマーが脱落しないように吸水性ポリマーの上面から再度接着剤等で固定しておき、肌対向面側に固定されている吸水性ポリマーを、溶剤等を用いて長尺状基体部２から剥離させ、吸水性ポリマーに付着している接着剤を洗浄する。吸水性ポリマーを乾燥させたのち、肌対向面側に固定されていた吸水性ポリマーの重量を測定し、吸水性ポリマーが固定されていた部分の長尺状基体部２の面積と剥離した吸水性ポリマーの重量から、単位面積当たりに固定されていた吸水性ポリマーの重量を算出し、肌対向面側の吸水性ポリマーの坪量とする。測定は５枚行い平均値を算出する。
非肌対向面側の吸水性ポリマーの坪量については、同様に肌対向面側の吸水性ポリマーを固定した上で、非肌対向面側の吸水性ポリマーを剥離、洗浄し、算出する。
【００６３】
また、各長尺状基体部２の両面（上下面）の表面に吸水性ポリマーの粒子３を固定する際には、着用者の肌に遠い非肌対向面（下面）で液を大量に保持させ、肌対向面（上面）上に液を残さずに肌触りを向上させる観点から、長尺状基体部２の親水度の低い層２２の表面に固定された吸水性ポリマー３は、該長尺状基体部２の親水度の高い層２１の表面に固定された吸水性ポリマーの粒子３に比べて、加圧下通液性能が高く、遠心保持量が低いことが好ましい。上記観点から、長尺状基体部２の親水度の低い層２２の表面に固定された吸水性ポリマー３に関し、２．０ｋＰａでの加圧下通液速度は、２０ｍｌ／ｍｉｎ以上であることが好ましく、４０ｍｌ／ｍｉｎ以上であることが更に好ましく、そして、１０００ｍｌ／ｍｉｎ以下であることが好ましく、８００ｍｌ／ｍｉｎ以下であることが更に好ましく、具体的には、２０ｍｌ／ｍｉｎ以上１０００ｍｌ／ｍｉｎ以下であることが好ましく、４０ｍｌ／ｍｉｎ以上８００ｍｌ／ｍｉｎ以下であることが更に好ましい。また、長尺状基体部２の親水度の高い層２１の表面に固定された吸水性ポリマー３に関し、２．０ｋＰａでの加圧下通液速度は、０ｍｌ／ｍｉｎ以上であることが好ましく、１０ｍｌ／ｍｉｎ以上であることが更に好ましく、そして、４００ｍｌ／ｍｉｎ以下であることが好ましく、２００ｍｌ／ｍｉｎ以下であることが更に好ましく、具体的には、０ｍｌ／ｍｉｎ以上４００ｍｌ／ｍｉｎ以下であることが好ましく、１０ｍｌ／ｍｉｎ以上２００ｍｌ／ｍｉｎ以下であることが更に好ましい。加圧下通液速度は、以下の測定方法により求められる。
【００６４】
＜加圧下通液速度の測定方法＞
加圧下通液速度は、特開２００３−２３５８８９号公報に記載されている測定方法及び測定装置を利用して測定される。即ち、１００ｍＬのガラスビーカーに、測定試料である吸水性ポリマー０．３２±０．００５ｇを膨潤するに十分な量の生理食塩水（０．９質量％塩化ナトリウム水溶液）、例えば吸水性ポリマーの飽和吸収量の５倍以上の生理食塩水に浸して３０分間放置する。別途、垂直に立てた円筒（内径２５．４ｍｍ）の開口部の下端に、金網（目開き１５０μｍ、株式会社三商販売のバイオカラム焼結ステンレスフィルター３０ＳＵＳ）と、コック（内径２ｍｍ）付き細管（内径４ｍｍ、長さ８ｃｍ）とが備えられた濾過円筒管を用意し、コックを閉鎖した状態で該円筒管内に、膨潤した測定試料を含む前記ビーカーの内容物全てを投入する。次いで、目開きが１５０μｍで直径が２５ｍｍである金網を先端に備えた直径２ｍｍの円柱棒を濾過円筒管内に挿入して、該金網と測定試料とが接するようにし、更に測定試料に２．０ｋＰａの荷重が加わるようにおもりを載せる。この状態で１分間放置した後、コックを開いて液を流し、濾過円筒管内の液面が６０ｍＬの目盛り線から４０ｍＬの目盛り線に達する（つまり２０ｍＬの液が通過する）までの時間（Ｔ１）（秒）を計測する。計測された時間Ｔ１（秒）を用い、次式から２．０ｋＰａでの加圧下通液速度を算出する。尚、式中、Ｔ０（秒）は、濾過円筒管内に測定試料を入れないで、生理食塩水２０ｍｌが金網を通過するのに要する時間を計測した値である。
加圧下通液速度（ｍｌ／ｍｉｎ）＝２０×６０／（Ｔ１−Ｔ０）
測定は５回行い（ｎ＝５）、上下各１点の値を削除し、残る３点の平均値を測定値とする。また、測定は２３±２℃、湿度５０±５％で行い、測定の前に試料を同環境で２４時間以上保存した上で測定する。加圧下通液速度の更に詳細な測定方法は、特開２００３−２３５８８９号公報の段落〔０００８〕及び段落〔０００９〕に記載されており、また測定装置は、同公報の図１及び図２に記載されている。
【００６５】
上記観点から、長尺状基体部２の親水度の低い層２２の表面に固定された吸水性ポリマー３に関し、その遠心保持量（吸水量）は、２０ｇ／ｇ以上であることが好ましく、２５ｇ／ｇ以上であることが更に好ましく、そして、５０ｇ／ｇ以下であることが好ましく、４５ｇ／ｇ以下であることが更に好ましく、具体的には、２０ｇ／ｇ以上５０ｇ／ｇ以下であることが好ましく、２５ｇ／ｇ以上４５ｇ／ｇ以下であることが更に好ましい。また、長尺状基体部２の親水度の高い層２１の表面に固定された吸水性ポリマー３に関し、その遠心保持量（吸水量）は、２５ｇ／ｇ以上であることが好ましく、３０ｇ／ｇ以上であることが更に好ましく、そして、６５ｇ／ｇ以下であることが好ましく、５５ｇ／ｇ以下であることが更に好ましく、具体的には、２５ｇ／ｇ以上６５ｇ／ｇ以下であることが好ましく、３０ｇ／ｇ以上５５ｇ／ｇ以下であることが更に好ましい。遠心保持量（吸水量）は、以下の測定方法により求められる。
【００６６】
＜遠心保持量（吸水量）の測定方法＞
遠心保持量（吸水量）の測定は、ＪＩＳ  Ｋ  ７２２３（１９９６）に準拠して行う。ナイロン製の織布（三力製作所販売、品名：ナイロン網、規格：２５０メッシュ）を幅１０ｃｍ、長さ４０ｃｍの長方形に切断して長手方向中央で二つ折りにし、両端をヒートシールして幅１０ｃｍ（内寸９ｃｍ）、長さ２０ｃｍのナイロン袋を作製する。次いで、測定試料である吸水性ポリマー１．００ｇを精秤し、作製したナイロン袋の底部に均一になるように入れる。次いで、試料の入ったナイロン袋を、２５℃に調温した生理食塩水（０．９質量％塩化ナトリウム水溶液）に浸漬させる。そして浸漬開始から１時間後にナイロン袋を生理食塩水から取り出し、１時間垂直状態に吊るして水切りした後、遠心脱水器（コクサン（株）製、型式Ｈ−１３０Ｃ特型）を用いて脱水する。脱水条件は、１４３Ｇ（８００ｒｐｍ）で１０分間とする。脱水後、試料の質量を測定し、次式に従って目的とする遠心保持量（吸水量）を算出する。
遠心保持量（ｇ／ｇ）＝（ａ'−ｂ−ｃ）／ｃ
式中、ａ'は遠心脱水後の試料及びナイロン袋の総質量（ｇ）、ｂはナイロン袋の吸水前（乾燥時）の質量（ｇ）、ｃは試料の吸水前（乾燥時）の質量（ｇ）を表す。
測定は５回行い（ｎ＝５）、上下各１点の値を削除し、残る３点の平均値を測定値とする。また、測定は２３±２℃、湿度５０±５％で行い、測定の前に試料を同環境で２４時間以上保存した上で測定する。
【００６７】
また、上述した図１に示すシート状物１は、均一な幅の長尺状基体部２を有する吸収性ユニット４を複数本用いて形成されているが、長尺状基体部２の幅は不均一であってもよい。好適には、シート状物１を平面視して、吸水性ポリマーの粒子３が偏在して固定されており、固定された吸水性ポリマー３の坪量が相対的に多い部分において、長尺状基体部２の縦方向（Ｙ方向）に沿う両側縁部２ｓ，２ｓ間の距離が相対的に短くなっていてもよい。即ち、固定された吸水性ポリマー３の坪量が多い部分と少ない部分を比べて、固定された吸水性ポリマー３の坪量が多い部分における長尺状基体部２の両側縁部２ｓ，２ｓ間の距離が、固定持された吸水性ポリマー３の坪量が少ない部分における長尺状基体部２の両側縁部２ｓ，２ｓ間の距離よりも短く形成されていてもよい。以上の構成を有するシート状物１であれば、固定された吸水性ポリマー３の坪量が多い部分において、隣り合う吸収性ユニット４，４どうしが厚み方向(Ｚ方向)に自由に動き易く、シート状物１が硬くなり難く、また、吸水性ポリマーの粒子３の吸収性能を最大限に発揮できるので、シート状物１の吸収性能が向上し易い。
【００６８】
また、上述した図３に示すシート状物１は、複数本の吸収性ユニット４それぞれの縦方向がシート状物１の縦方向（Ｙ方向）を向くように配列して形成されているが、例えば図６に示すように、複数本の吸収性ユニット４それぞれの縦方向がシート状物１の横方向（Ｘ方向）を向くように配列して形成されていてもよい。尚、図６に示すシート状物１は、縦方向（Ｙ方向）に沿う両側部に非スリット領域ＮＴを備えている。図６に示すシート状物１を製造する際には、ロールの軸方向に平行に配されたカッター刃を、周方向に間欠的に配したロータリーダイと、受けロールとを用い、該ロータリーダイと該受けロールとの間に基材シート２０を供給することにより形成できる。
【００６９】
また、各吸収性ユニット４の縦方向が複数方向を向くように配列して形成されたシート状物１であってもよい。該複数方向を向くように配列して形成されたシート状物１としては、例えば、複数本の吸収性ユニット４それぞれの縦方向がシート状物１の縦方向（Ｙ方向）を向くように配列して形成された領域を、該シート状物１の縦方向（Ｙ方向）に沿う両側部に有し、複数本の吸収性ユニット４それぞれの縦方向がシート状物１の横方向（Ｘ方向）を向くように配列して形成された領域を、前記両側部で挟まれた中央部に有する形態等が挙げられる。このような複数方向を向くように配列させて形成されたシート状物１は、例えば、複数のカッター刃１１１ａと受けロール１１２とを用いて、搬送される基材シート２０の搬送方向（Ｙ１方向）に沿う両側部をそれぞれ複数箇所カットし、その後、周方向に間欠的に配したロータリーダイと受けロールとを用いて、搬送される基材シート２０の直交する方向（Ｘ１方向）の中央部を複数箇所カットすることにより形成できる。
【００７０】
また、上述した図１に示すシート状物１は、各吸収性ユニット４及び各長尺状基体部２が縦方向（Ｙ方向）に平行に直線状に延びているが、形状を問わず縦方向（Ｙ方向）に延びていればよい。例えば、各吸収性ユニット４及び各長尺状基体部２は、縦方向（Ｙ方向）にＳ字状を繰り返して延びていてもよく、縦方向（Ｙ方向）にギザギザ状に延びていてもよい。
【００７１】
また、上述した本実施態様のシート状物１の製造方法においては、カット工程の後工程に接着剤塗布工程を備え、接着剤塗布工程の後工程に吸水性ポリマー散布工程を備えているが、基材シート２０の一方の面である親水度の高い層２１に起毛加工を施す場合には、接着剤塗布工程に換えて起毛加工工程を備えればよい。このような起毛加工工程を、カット工程の前工程に備えればよい。起毛加工を施す方法としては、例えば、特開２０１２−０９２４７６号公報に記載の方法、或いは特開２０１３−０２８８９１号公報に記載の方法等が挙げられる。
【００７２】
上述した実施形態に関し、さらに以下のシート状物を開示する。
【００７３】
＜１＞
横方向と、該横方向よりも長さの長い縦方向と、厚み方向とを有する長尺状基体部、及び該長尺状基体部の非肌対向面の表面に固定された吸水性ポリマーの粒子を備えた吸収性ユニットを複数本具備し、各該吸収性ユニットを、その縦方向が一方向を向くように配列させてなる吸収性物品用のシート状物であって、前記長尺状基体部は、非肌対向面の親水度が、肌対向面の親水度よりも高いシート状物。
【００７４】
＜２＞
前記吸水性ポリマーの粒子が液を吸収した膨潤後の状態において、該吸水性ポリマーの粒子が、前記長尺状基体部の前記縦方向に沿う側縁部を越えて膨潤し、且つ該長尺状基体部における前記吸水性ポリマーの粒子の位置が、前記厚み方向において、液を吸収する前の位置と異なるようになされている、前記＜１＞に記載のシート状物。
＜３＞
前記吸水性ポリマーの粒子が液を吸収する前の使用前の状態において、前記吸水性ポリマーの粒子が、前記長尺状基体部の側縁部を越えてはみ出している、前記＜１＞又は＜２＞に記載のシート状物。
＜４＞
前記吸水性ポリマーの粒子が液を吸収する前の使用前の状態において、隣り合う前記長尺状基体部どうしは、少なくとも一部隣接している、前記＜１＞〜＜３＞の何れか１に記載のシート状物。
＜５＞
前記シート状物は、前記縦方向の両端部に、複数の前記長尺状基体部が前記横方向に繋がった非スリット領域を備えており、前記非スリット領域には、前記吸水性ポリマーの粒子が固定されておらず、前記シート状物は、前記縦方向の両端部が、前記吸収性物品に固定されている、前記＜１＞〜＜４＞の何れか１項に記載のシート状物。
＜６＞
前記長尺状基体部は、前記縦方向に沿う両側縁部間の距離が、前記吸水性ポリマーの粒子が液を吸収する前の状態の平均粒子径よりも大きく、前記吸水性ポリマーの粒子が液を吸収して膨潤した状態の平均粒子径よりも小さい、前記＜１＞〜＜５＞の何れか１に記載のシート状物。
＜７＞
前記シート状物を平面視して、前記吸水性ポリマーの粒子が偏在して固定されており、固定された該吸水性ポリマーの粒子の坪量が相対的に多い部分において、前記長尺状基体部の縦方向に沿う両側縁部間の距離が相対的に短い、前記＜１＞〜＜６＞の何れか１に記載のシート状物。
＜８＞
前記吸水性ポリマーの粒子が液を吸収する前に、前記吸水性ポリマーの粒子は、前記長尺状基体部の非肌対向面の表面にのみ固定されている、前記＜１＞〜＜７＞の何れか１に記載のシート状物。
＜９＞
前記長尺状基体部は、不織布である、前記＜１＞〜＜８＞の何れか１に記載のシート状物。
＜１０＞
前記シート状物は、前記吸収性ユニットの縦方向が該シート状物の縦方向を向くように前記吸収性ユニットを複数本配列させて形成されており、前記長尺状基体部の横方向において隣り合う前記吸収性ユニット間においては、介在物が非存在状態となっている、前記＜１＞〜＜９＞の何れか１に記載のシート状物。
【００７５】
＜１１＞
前記吸収性ユニットは、使用前の状態において、縦方向に長い矩形状に形成されており、該吸収性ユニットの横方向の長さは、好ましくは０．５ｍｍ以上１０ｍｍ以下である、前記＜１＞〜＜１０＞の何れか１に記載のシート状物。
＜１２＞
前記吸収性ユニットは、使用前の状態において、縦方向に長い矩形状に形成されており、該吸収性ユニットの縦方向の長さは、横方向の長さに対して好ましくは２０倍以上２００倍以下、更に好ましくは４０倍以上８０倍以下になっている、前記＜１＞〜＜１１＞の何れか1に記載のシート状物。
＜１３＞
前記吸収性ユニットは、使用前の状態において、縦方向に長い矩形状に形成されており、該吸収性ユニットの縦方向の長さは、好ましくは１０ｍｍ以上５００ｍｍ以下、更に好ましくは２００ｍｍ以上４００ｍｍ以下になっている、前記＜１＞〜＜１２＞の何れか１に記載のシート状物。
＜１４＞
前記長尺状基体部の幅に対しての前記吸収性ユニットの横方向の長さの大小関係は、好ましくは０μｍ＜（Ｌｘ−Ｗ２）＜１４００μｍであり、更に好ましくは２００μｍ＜（Ｌｘ−Ｗ２）＜１０００μｍである、前記＜１＞〜＜１３＞の何れか１に記載のシート状物。
＜１５＞
前記シート状物は、縦方向の長さが好ましくは１００ｍｍ以上１０００ｍｍ以下であり、横方向の長さが好ましくは５０ｍｍ以上３００ｍｍ以下である、前記＜１＞〜＜１４＞の何れか１に記載のシート状物。
＜１６＞
使用前の状態のシート状物を平面視して、シート状物全体に対する吸収領域の割合は、吸水性ポリマーの粒子の固定された領域で液を吸収し易い観点から、２０％以上であることが好ましく、５０％以上であることが更に好ましく、そして、１００％以下であることが好ましく、９０％以下であることが更に好ましい、前記＜１＞〜＜１６＞の何れか１に記載のシート状物。
＜１７＞
前記吸収性ユニットの縦方向を前記シート状物の縦方向を向くように配する場合、吸収性ユニット４は、シート状物１枚当たり、３本以上配されていることが好ましく、５０本以上配されていることが更に好ましく、そして、１０００本以下配されていることが好ましく、５００本以下配されていることが更に好ましい、前記＜１＞〜＜１６＞の何れか１に記載のシート状物。
＜１８＞
前記シート状物の幅に対する前記長尺状基体部の幅の割合は、前記吸水性ポリマーの前記長尺状基体部への担持量、膨潤阻害、柔軟性、通気性、シート形状の維持等の観点から、０．００１以上であることが好ましく、０．００２以上であることが更に好ましく、０．２００以下であることが好ましく、０．０４０以下であることが更に好ましい、前記＜１＞〜＜１７＞の何れか１に記載のシート状物。
＜１９＞
前記長尺状基体部の幅は、０．３ｍｍ以上であることが好ましく、０．６ｍｍ以上であることが更に好ましく、そして、１０．０ｍｍ以下であることが好ましく、２．０ｍｍ以下であることがより好ましく、１．８ｍｍ以下であることが更に好ましい、前記＜１＞〜＜１８＞の何れか１に記載のシート状物。
＜２０＞
前記長尺状基体部の肌対向面の親水度、即ち、肌対向面を形成する構成繊維に対するイオン交換水の接触角は、８０°以上であることが好ましく、９０°以上であることが更に好ましく、そして、１８０°以下であることが好ましく、１２０°以下であることが更に好ましい、前記＜１＞〜＜１９＞の何れか１に記載のシート状物。
【００７６】
＜２１＞
前記長尺状基体部の前記非肌対向面の親水度、即ち、前記非肌対向面を形成する構成繊維に対するイオン交換水の接触角は、０°以上であることが好ましく、３０°以上であることが更に好ましく、９０°以下であることが好ましく、７０°以下であることが更に好ましい、前記＜１＞〜＜２０＞の何れか１に記載のシート状物。
＜２２＞
前記長尺状基体部の前記肌対向面の接触角と、前記非肌対向面の接触角との差は、４°より大きいことが好ましく、更に好ましくは５°以上、一層好ましくは７°以上大きく、また３０°以下であることが好ましく、更に好ましくは２５°以下、一層好ましくは２０°以下であることが好ましい、前記＜１＞〜＜２１＞の何れか１に記載のシート状物。
＜２３＞
接着剤を介して前記吸水性ポリマーの粒子が前記長尺状基体部の表面に固定されている、前記＜１＞〜＜２２＞の何れか１に記載のシート状物。
＜２４＞
使用前（膨潤前）の状態の前記吸水性ポリマーの粒子の平均粒子径は、２０μｍ以上であることが好ましく、２００μｍ以上であることが更に好ましく、そして、７００μｍ以下であることが好ましく、５００μｍ以下であることが更に好ましい、前記＜１＞〜＜２３＞の何れか１に記載のシート状物。
＜２５＞
膨潤後の状態の前記吸水性ポリマーの粒子の平均粒子径は、２００μｍ以上であることが好ましく、８００μｍ以上であることが更に好ましく、３０００μｍ以下であることが好ましく、２０００μｍ以下であることが更に好ましい、前記＜１＞〜＜２４＞の何れか１に記載のシート状物。
＜２６＞
前記＜１＞１〜＜２５＞の何れか１に記載のシート状物と、該シート状物を被覆する液透過性のコアラップシートとを有する吸収性物品用の吸収体。
＜２７＞
前記＜２６＞に記載の吸収体と、該吸収体の肌対向面側に配された表面シートと、該吸収体の非肌対向面側に配された裏面シートとを有する吸収性物品。
【符号の説明】
【００７７】
１  シート状物
２  長尺状基体部
２ｓ  側縁部
２０  基材シート
２１  相対的に親水度の高い非肌対向面側の層
２２  相対的に親水度の低い肌対向面側の層
３  吸水性ポリマー（吸水性ポリマーの粒子）
４  吸収性ユニット
５  接着剤
１００  製造装置
１１０  基材シートカット部
１１１ａ  カッター刃
１１１ｂ  ロータリーダイ
１１２  受けロール
１１３  スリット装置
１２０  接着剤塗布部
１２１  塗布ヘッド
１３０  吸水性ポリマー散布部
１３１  吸水性ポリマー導入部
１４１  バキュームコンベア
１４５  バキュームボックス
１５１，１５２  駆動ロール
【図１】
0006554028.tif 000002
【図２】
0006554028.tif 000003
【図３】
0006554028.tif 000004
【図４】
0006554028.tif 000005
【図５】
0006554028.tif 000006
【図６】
0006554028.tif 000007